(57)【要約】【課題】光線の利用率を向上することができる光学板及びその製造方法を提供することである。【解決手段】透過層と拡散層が一体に成型される光学板において、前記透過層は、光入射面と、前記光入射面の反対側に形成される光出射面と、前記光出射面の表面に緊密に配列される複数の長状突起と、を含み、互いに隣接する二つの前記長状突起の間に長状凹部が形成され、且つ前記長状突起の頂部と前記長状凹部の底部のうちの少なくとも一方が円弧状に形成され、前記拡散層は、前記透過層の光入射面に形成され、透明樹脂と、前記透明樹脂の内に分布される拡散粒子と、を含む。前記拡散層の透明樹脂の材料として、アクリル酸樹脂、ポリカーネボート、ポリスチレン、スチレン／アクリロニトリル共重合体を単独または混合して用い、前記拡散粒子の材料として、二酸化チタン、二酸化ケイ素、アクリル酸樹脂の粒子を単独または混合して用いる。【選択図】図２
2008129586.tif 000002
【特許請求の範囲】
【請求項１】
透過層と拡散層が一体に成型される光学板において、
前記透過層は、光入射面と、前記光入射面の反対側に形成される光出射面と、前記光出射面の表面に緊密に配列される複数の長状突起と、を含み、
互いに隣接する二つの前記長状突起の間に長状凹部が形成され、且つ前記長状突起の頂部と前記長状凹部の底部のうちの少なくとも一方が円弧状に形成され、
前記拡散層は、前記透過層の光入射面に形成され、透明樹脂と、前記透明樹脂の内に分布される拡散粒子と、を含むことを特徴とする光学板。
【請求項２】
前記長状突起の頂部の円弧半径の範囲が０〜０．５５ｍｍであることを特徴とする請求項１に記載の光学板。
【請求項３】
前記長状凹部の底部の円弧半径の範囲が０〜０．５５ｍｍであることを特徴とする請求項１に記載の光学板。
【請求項４】
前記長状突起の頂部と前記長状凹部の底部が、全て円弧状に形成されることを特徴とする請求項１に記載の光学板。
【請求項５】
前記拡散層の透明樹脂の材料として、アクリル酸樹脂、ポリカーネボート、ポリスチレン、スチレン／アクリロニトリル共重合体を単独または混合して用いることを特徴とする請求項１に記載の光学板。
【請求項６】
前記拡散粒子の材料として、二酸化チタン、二酸化ケイ素、アクリル酸樹脂の粒子を単独または混合して用いることを特徴とする請求項１に記載の光学板。
【請求項７】
成型槽の底面に緊密に配列される複数の長状凹部及び長状突起が形成され、且つ前記長状突起の頂部と前記長状凹部の底部のうちの少なくとも一方が円弧状に形成される雌型と、前記成型槽に挿入される雄型と、を含む二色成型金型を用いた光学板の製造方法において、
第一透明樹脂材料を加熱して、溶融状態の透過層材料を形成し、且つ拡散粒子が混合されている第二透明樹脂材料を加熱して、溶融状態の拡散層材料を形成するステップと、
前記成型槽に前記雄型を挿入して第一キャビティを形成し、且つ前記第一キャビティに前記溶融状態の透過層材料を注入して透過層を形成するステップと、
前記透過層が形成される前記第一キャビティから前記雄型を後退させて、前記透過層と前記雄型の間に第二キャビティを形成し、且つ第二キャビティに前記溶融状態の拡散層材料を注入して、前記透過層の表面に拡散層を一体に形成するステップと、
前記第二キャビティを開放し、前記光学板を該第二キャビティから取り出すステップと、を含むことを特徴とする光学板の製造方法。
【請求項８】
２つの雄型と、２つの成型槽を具備する雌型と、前記雌型を回転させる回転装置と、を含む二色成型金型を用い、
第１に、１つの雄型を１つの成型槽に挿入して第一キャビティを形成し、且つ前記第一キャビティに溶融状態の透過層材料を注入して透過層を形成し、
次に、前記回転装置を使用して前記１つの成型槽を他の雄型がある所まで回転させた後、該他の雄型を前記１つの成型槽に挿入して第二キャビティを形成し、且つ前記第二キャビティに溶融状態の拡散層材料を注入して拡散層を形成し、且つ該拡散層の形成と同時に、前記１つの雄型を他の成型槽に挿入して第一キャビティを形成し、且つ該第一キャビティに溶融状態の透過層材料を注入して透過層を形成し、
同時に、前記１つの成型槽と他の成型槽に上述した過程を交互に重複して実施することにより連続的生産を実現することを特徴とする請求項７に記載の光学板の製造方法。
【請求項９】
成型槽を具備する雌型と、成型面に緊密に配列される複数の長状凹部及び長状突起が形成され、且つ前記長状突起の頂部と前記長状凹部の底部の中に少なくとも一方が円弧状に形成され、前記成型槽に挿入される雄型と、を含む二色成型金型を用いた光学板の製造方法において、
第一透明樹脂材料を加熱して、溶融状態の透過層材料を形成し、且つ拡散粒子が混合されている第二透明樹脂材料を加熱して、溶融状態の拡散層材料を形成するステップと、
前記雌型の成型槽に前記雄型を挿入して第一キャビティを形成し、且つ前記第一キャビティに前記溶融状態の拡散層材料を注入して拡散層を形成するステップと、
前記拡散層が形成された前記第一キャビティから前記雄型を後退させて、前記拡散層と前記雄型の間に第二キャビティを形成し、且つ第二キャビティに前記溶融状態の透過層材料を注入して、前記拡散層の表面に透過層を一体に形成するステップと、
前記第二キャビティを開放し、前記光学板を該第二キャビティから取り出すステップと、を含むことを特徴とする光学板の製造方法。
【請求項１０】
２つの雄型と、２つの成型槽を具備する雌型と、前記雌型を回転させる回転装置と、を含む二色成型金型を用い、
第１に、１つの雄型を１つの成型槽に挿入して第一キャビティを形成し、且つ前記第一キャビティに溶融状態の拡散層材料を注入して拡散層を形成し、
次に、前記回転装置を使用して前記１つの成型槽を他の雄型がある所まで回転させた後、該他の雄型を前記１つの成型槽に挿入して第二キャビティを形成し、且つ前記第二キャビティに溶融状態の透過層材料を注入して透過層を形成し、且つ該透過層の形成と同時に、前記１つの雄型を他の成型槽に挿入して第一キャビティを形成し、且つ該第一キャビティに溶融状態の拡散層材料を注入して拡散層を形成し、
同時に、前記１つの成型槽と他の成型槽に上述した過程を交互に重複して実施することにより連続的生産を実現することを特徴とする請求項９に記載の光学板の製造方法。
【発明の詳細な説明】
【技術分野】
【０００１】
本発明は、バックライトに用いる光学板及びその製造方法に関し、特に複合型光学板及びその製造方法に関する。
【背景技術】
【０００２】
近年、液晶表示装置は、携帯用個人情報端末（ＰＤＡ）、ノートパソコン、デジタルカメラ、携帯電話、液晶テレビ等の表示装置に広く用いられている。ところが、液晶自体が非発光材料であるから、バックライトの光線を介して表示の機能を実現する。
【０００３】
図１は、従来の拡散板及びプリズムシートを用いるバックライトを示す断面図である。前記バックライト１０は、反射板１１と、前記反射板１１の上に順に配置された複数の光源１２と、拡散板１３と、プリズムシート１４と、を含む。
【０００４】
上述した部品において、前記拡散板１３の内部には、光線を拡散させる拡散粒子が分布されている。前記拡散粒子の材料として、一般的にメタクリル酸メチルが用いられる。前記プリズムシート１４の表面には、バックライトの所定の視角範囲内の輝度を向上させるＶ状のマイクロ突起が設けられている。
【０００５】
前記バックライト１０を用いる時、前記複数の光源１２の光線がまず前記拡散板１３によって均一に拡散される。拡散される光線が前記プリズムシート１４を通過する時、前記プリズムシート１４のＶ状のマイクロ突起によって光線が一定に集光される。従って、前記バックライト１０の所定の視角範囲内の輝度を向上させることができる。
【０００６】
しかし、従来技術のバックライト１０において、前記拡散板１３と前記プリズムシート１４は別々に製造していたので、両者が独立に存在する。前記拡散板１３とプリズムシート１４を装着する場合、両者をいくら密着させても、接触面の間に空気層が存在するのを防ぐことができない。従って、前記光源１２の光線が、前記拡散板１３及びプリズムシート１４を通過する時、前記接触面の空気層の反射によって、光線が多く損失され、光線の利用率が低下される。
【発明の開示】
【発明が解決しようとする課題】
【０００７】
本発明の目的は、光線の利用率を向上することができる光学板及びその製造方法を提供することである。
【課題を解決するための手段】
【０００８】
上述した目的を達成するために、透過層と拡散層が一体に成型される光学板において、前記透過層は、光入射面と、前記光入射面の反対側に形成される光出射面と、前記光出射面の表面に緊密に配列される複数の長状突起と、を含み、互いに隣接する二つの前記長状突起の間に長状凹部が形成され、且つ前記長状突起の頂部と前記長状凹部の底部のうちの少なくとも一方が円弧状であり、前記拡散層は、前記透過層の光入射面に形成され、透明樹脂と、前記透明樹脂の内に存在する拡散粒子と、を含む。
成型槽の底面に緊密に配列される複数の長状凹部及び長状突起が形成され、且つ前記長状突起の頂部と前記長状凹部の底部のうちの少なくとも一方が円弧状に形成される雌型と、前記成型槽に挿入される雄型と、を含む二色成型金型を用いた光学板の製造方法において、第一透明樹脂材料を加熱して、溶融状態の透過層材料を形成し、且つ拡散粒子が混合されている第二透明樹脂材料を加熱して、溶融状態の拡散層材料を形成するステップと、前記成型槽に前記雄型を挿入して第一キャビティを形成し、且つ前記第一キャビティに前記溶融状態の透過層材料を注入して透過層を形成するステップと、前記透過層が形成される前記第一キャビティから前記雄型を後退させて、前記透過層と前記雄型の間に第二キャビティを形成し、且つ第二キャビティに前記溶融状態の拡散層材料を注入して、前記透過層の表面に拡散層を一体に形成するステップと、前記第二キャビティを開放し、前記光学板を該第二キャビティから取り出すステップと、を含む。
成型槽を具備する雌型と、成型面に緊密に配列される複数の長状凹部及び長状突起が形成され、且つ前記長状突起の頂部と前記長状凹部の底部のうちの少なくとも一方が円弧状に形成され、前記成型槽に挿入される雄型と、を含む二色成型金型を用いた光学板の製造方法において、第一透明樹脂材料を加熱して、溶融状態の透過層材料を形成し、且つ拡散粒子が混合されている第二透明樹脂材料を加熱して、溶融状態の拡散層材料を形成するステップと、前記雌型の成型槽に前記雄型を挿入して第一キャビティを形成し、且つ前記第一キャビティに前記溶融状態の拡散層材料を注入して拡散層を形成するステップと、前記拡散層が形成された前記第一キャビティから前記雄型を後退させて、前記拡散層と前記雄型の間に第二キャビティを形成し、且つ第二キャビティに前記溶融状態の透過層材料を注入して、前記拡散層の表面に透過層を一体に形成するステップと、前記第二キャビティを開放し、前記光学板を該第二キャビティから取り出すステップと、を含む。
【発明の効果】
【０００９】
透過層と拡散板が一体に成型される光学板において、前記透過層は、光入射面と、前記光入射面の反対側に形成される光出射面と、前記光出射面の表面に緊密に配列される複数の長状突起と、を含み、前記光拡散層は、透明樹脂と、前記透明樹脂内に分布される拡散粒子と、を含む。
【００１０】
本発明の光学板を用いる時、光源の光線が前記拡散層によって均一に拡散された後、直接前記透過層に入射される。前記透過層に入射される光線が前記光出射面の複数の長状突起によって一定に集光される。これで、前記透過層及び拡散層が一体に成型された光学板を光線が通過するので、光線が光学界面に形成される空気層に反射されることを防ぐことができる。即ち、一体に成型される前記透過層と拡散層との間に空気層が形成されることができないので、光線が空気層に反射されることを防ぐことができる。従って、光線のエネルギーが損失されることを防ぎ、光線の利用率を向上させることができる。
【発明を実施するための最良の形態】
【００１１】
以下図面に基づいて、本発明の実施の形態に係る光学板に対して詳細に説明する。
【００１２】
図２と図３を参照すると、本発明の光学板２０は、一体に成型される透過層２１及び拡散層２３を含む。前記透過層２１は、光入射面２１１と、前記光入射面２１１の反対側に形成される光出射面２１３と、前記光出射面２１３の表面に緊密に配列される複数の長状突起２１５と、を含む。互いに隣接する２つの前記長状突起２１５の間に長状凹部が形成され、且つ各々の長状突起２１５の頂部が円弧状に形成されている。前記拡散層２３は、前記透過層２１の光入射面２１１に形成され、透明樹脂２３１と、前記透明樹脂２３１の内に分布される拡散粒子２３３と、を含む。
【００１３】
また、前記透過層２１の厚さと前記拡散層２３の厚さは、各々０．３５ｍｍであるか、０．３５ｍｍより大きい。好ましくは、前記透過層２１の厚さと前記拡散層２３の厚さの合計を１〜６ｍｍにする。
【００１４】
前記透過層２１は、透明樹脂材料から製作する。その透明樹脂材料として、アクリル酸樹脂、ポリカーネボート、ポリスチレン、スチレン／アクリロニトリル共重合体等を単独または混合して用いる。前記透過層２１の光入射面２１１は、平たい面あるいは粗い面である。
【００１５】
前記透過層２１の光出射面２１３に形成されている前記長状突起２１５は、光学板２０から出る光線を集光する作用を奏する。前記複数の長状突起２１５が配列される列の方向と前記光学板２０の１つ側辺の夾角は０〜９０度であり、互いに隣接する２つの長状突起２１５の中心間の距離範囲は０．０２５〜１ｍｍである。
【００１６】
本実施例において、前記光学板２０の長状突起２１５の２つ側面の夾角θの範囲は６０〜１２０度である。前記長状突起２１５の頂部が円弧状に形成され、且つ前記頂部の半径Ｒの範囲は０〜０．５５ｍｍである。前記光学板２０を用いる時、前記長状突起２１５の２つ側面の夾角θが異なると、前記光学板２０の輝度と視角が異なる。前記光学板２０の長状突起２１５の２つ側面の夾角θが変わらない時、前記長状突起２１５の頂部の半径Ｒを増加すれば、前記光学板２０の視角範囲が一定に増加される。
【００１７】
前記光学板２０の拡散層２３は、透明樹脂２３１と、拡散粒子２３３と、を含み、光源の光線を均一に拡散させる作用を奏する。前記拡散層２３の透明樹脂２３１の材料として、アクリル酸樹脂、ポリカーネボート、ポリスチレン、スチレン／アクリロニトリル共重合体等を単独または混合して用い、前記拡散粒子２３３の材料として、二酸化チタン、二酸化ケイ素、アクリル酸樹脂等の粒子を単独または混合して用いることができる。
【００１８】
前記光学板２０を用いる時、光源の光線が前記拡散層２３によって均一に拡散された後、直接前記透過層２１に入射される。前記透過層２１に入射される光線が前記光出射面２１３の複数の長状突起２１５によって集光される。これで、光線が前記透過層２１及び拡散層２３が一体に成型された前記光学板２０を通過するので、光線が光学界面に形成される空気層に反射されることを防ぐことができる。即ち、一体に成型される前記透過層２１と拡散層２３との間に空気層が形成されることができないので、光線が空気層によって反射されることを防ぐことができる。従って、光線のエネルギーが損失されることを防ぎ、光線の利用率を向上させることができる。
【００１９】
また、前記光学板２０をバックライトに組み立てる時、光学板２０を１つだけ組み立てれば組立が完成されるから、従来技術の拡散板及びプリズムシートを組み立てることに比較して、作業の時間を減らし、作業の効率を向上させることができる。
【００２０】
また、前記光学板２０は、従来技術の拡散板とプリズムシートの機能を具備するから、拡散板とプリズムシートが占める空間を節約することができる。即ち、拡散板及びプリズムシートを装着する必要がないから、前記光学板２０を用いる製品を軽く、薄く、小さくすることができる。
【００２１】
図４は、本発明の第二実施例に係る光学板３０の断面図である。本実施例の光学板３０と第一実施例の光学板２０が異なるところは、前記光学板３０の長状突起３１５の頂部が円弧状に形成されなく、２つの長状突起３１５の間に形成される長状凹部の底部が円弧状に形成されていることである。ここで、前記底部の半径の範囲は０〜０．５５ｍｍである。
【００２２】
図５は、本発明の第三実施例に係る光学板５０の断面図である。本実施例の光学板５０と第一実施例の光学板２０が異なるところは、前記光学板５０の長状突起５１５の頂部と２つの長状突起５１５の間に形成される長状凹部の底部がすべて円弧状に形成されていることである。これで、前記頂部と底部の半径の範囲は全て０〜０．５５ｍｍである。
【００２３】
また、前記光学板の優れた光学的均一性、及び長状突起の側面の間の夾角の大小、円弧が形成される位置及び大小が光学板の輝度及び視角に対する影響を測定するために、表１に列挙したサンプルでテストを進行した。その測定結果は、図６乃至図１１で参照することができる。前記テストの基本的な構成要素は、ランプとランプシェードである。前記光学板２０をテストする場合、ランプに垂直な方向を垂直方向と言い、ランプに平行な方向を水平方向と言う。
【００２４】
【表１】
2008129586.tif 000003
【００２５】
ランプとランプシェードの垂直方向、前記垂直方向と４５度をなす方向、水平方向、前記垂直方向と１３５度をなす方向に沿う光強度―視角の曲線を各々ｂ１、ｂ２、ｂ３、ｂ４とし、本発明の光学板Ｇの垂直方向、前記垂直方向と４５度をなす方向、水平方向、前記垂直方向と１３５度をなす方向に沿う光強度―視角の曲線を各々ｃ１、ｃ２、ｃ３、ｃ４とする。
【００２６】
図６及び図７に示すように、曲線ｂ１、ｂ２、ｂ３及びｂ４の間の差異は比較的大きく、曲線ｃ１、ｃ２、ｃ３及びｃ４の間の差異は比較的小さい。これは、本発明の光学板Ｇが、バックライトの光学的均一性を向上させることができることを説明する。
【００２７】
図７に示すように、−６０〜６０度の範囲内での光学板Ｇの光強度が、その他視角範囲での光学板Ｇの光強度より十分高い。これは、本実施例の光学板Ｇが−６０〜６０度の範囲内の輝度を比較的多い向上させることができることを説明する。
【００２８】
図８及び図９は、水平方向における、第一実施例の光学板Ｇを用いるバックライトと本発明の他の実施例の光学板を用いるバックライトとの光強度―視角に係る対比図であり、図１０と図１１は、垂直方向における、第一実施例の光学板Ｇを用いるバックライトと本発明の他の実施例の光学板を用いるバックライトとの光強度―視角に係る対比図である。
【００２９】
図８乃至図１１に示したように、長状突起の側面の夾角が変化すると、バックライトの特定視角範囲内の輝度が異なって変化される。これは、長状突起の側面の夾角を調整することにより、バックライトの不同な表示視角を得ることができることを説明する。
【００３０】
且つ、前記長状突起の側面の夾角が変化しない場合、前記長状突起の頂部の半径または前記長状凹部の底部の半径を変更すると、前記バックライトの視角範囲もそれに従って変化する。即ち、前記長状突起の頂部の半径または前記長状凹部の底部の半径を増加すると、バックライトの視角範囲が大きくなる。
【００３１】
以下、二色射出成型金型２００で前記光学板２０を製造する方法を説明する。
【００３２】
図１２及び図１３に示すように、前記二色射出成型金型２００は、回転装置２０１と、雌型２０２と、第一雄型２０３及第二雄型２０４と、を含む。前記雌型２０２は、２つの成型槽２０２１を具備する。前記成型槽２０２１の底面２０２２には、前記光学板２０の複数の長状突起２１５の形状と対応する複数の長状成型凹部２０２３が形成されている。互いに隣接する２つの長状成型凹部２０２３の間には、前記長状突起２１５の底部を形成するための長状成型突起が形成されている。前記長状突起２１５の頂部の円弧部を形成するために、前記長状成型凹部２０２３の底部を円弧状に製造する。前記第一雄型２０３を前記成型槽２０２１に挿入させると、前記第一雄型２０３と前記成型槽２０２１との間に第一キャビティ２０５が形成される。前記第一キャビティ２０５に溶融状態の透過層材料を注入して透過層２１を形成した後、前記第二雄型２０４を前記成型槽２０２１に挿入させると、前記第二雄型２０４と前記成型槽２０２１の間に第二キャビティ２０６が形成される。
【００３３】
以下、前記光学板２０を製造する方法を詳しく説明する。
【００３４】
第一ステップ：第一透明材料を加熱して、溶融状態の透過層材料を形成し、且つ拡散粒子が混合されている第二透明樹脂材料を加熱して、溶融状態の拡散層材料を形成する。
【００３５】
第二ステップ：前記第一成型槽２０２１に前記第一雄型２０３を挿入して、両者の間に第一キャビティ２０５を形成する。
【００３６】
第三ステップ：前記第一キャビティ２０５に溶融状態の透過層材料を注入し、固化させて透過層２１を形成する。
【００３７】
第四ステップ：前記第一雄型２０３を前記第一成型槽２０２１から取り出した後、前記回転装置２０１を介して前記雌型２０２を１８０度回転させる。
【００３８】
第五ステップ：内部に透過層２１が形成されている前記第一成型槽２０２１に前記第二雄型２０４を挿入させて、前記透過層２１と第二雄型２０４の間に第二キャビティ２０６を形成する。
【００３９】
第六ステップ：前記第二キャビティ２０６に溶融状態の拡散層材料を注入し、固化させて拡散層２３を形成する。即ち、前記透過層２１の上に拡散層材料を注入して、透過層２１と拡散層２３が一体に形成される光学板２０を製造する。
【００４０】
第七ステップ：前記透過層２１と拡散層２３が一体に形成される光学板２０を前記雌型２０４から取り出す。
【００４１】
前記二色射出成形金型２００を使用して製造した光学板２０は、透過層２１と拡散層２２が一体に形成されているから、前記透過層２１と前記拡散層２２の間に間隙が生じなく、且つ比較的高い連接強度を具備する。
【００４２】
光学板を連続的に製造し、製造する速度を向上させるために、二色射出成型金型２００の２つの成型槽２０２１を同時に用いることができる。例えば、前記１つの成型槽２０２１に前記透過層２１を形成した後、前記雌型２０２を回転させる。次に、前記透過層２１が形成されている前記成型槽２０２１に前記第二雄型２０４を挿入して第二キャビティ２０６を形成し、前記第二キャビティ２０６に溶融状態の拡散層材料を注入して前記拡散層２３を形成する。これと同時に、他の成型槽２０２１に溶融状態の透過層材料を注入する。
【００４３】
前記拡散層２３が形成された後、前記第二雄型２０４を開放し、前記回転装置２０１を介して前記雌型２０２を一定な角度（例えば、９０度）回転させる。次に、透過層２１及び拡散層２３が一体に成型された光学板２０を前記雌型２０２から取り出す。次に、前記雌型２０２を初めの位置へ回転させ、初めに使用した前記成型槽２０２１に前記第一雄型２０３を挿入して上述した製造過程を再度進行することができる。
【００４４】
または、前記雌型を回転させずに、１つの成型槽で注入工程を二度進行することができる。即ち、前記成型槽に透過層２１を形成した後、前記雄型を一定な距離を後退させると、前記透過層２１と前記雄型との間に他のキャビティが形成される。次に、前記該キャビティに溶融状態の拡散材料を注入して拡散層２３を形成することができる。
【００４５】
図１４は、図２の光学板の製造に用いる他の金型３００の断面図である。前記金型３００において、前記透過層２１の長状突起２１５を形成するための複数の長状成型凹部３０２３を雄型３０４の成型面に設置することができる。これ以外の構成は図１２及び図１３と同様である。
【００４６】
前記金型３００で前記光学板を製造する方法において、まず、第一キャビティに溶融状態の拡散層材料を注入して拡散層２３を形成する。次に、前記成型槽と前記雄型によって形成される第二キャビティに溶融状態の透過層材料を注入して透過層２１を形成する。この場合も、前記雌型を回転させずに、１つの成型槽で注入工程を二度進行することができる。
【００４７】
以上、本発明の好適な実施の形態について詳細に説明したが、本発明は前記実施の形態に限定されるものではなく、本発明の範囲内で種々の変形又は修正が可能であり、該変形又は修正も又、本発明の特許請求の範囲内に含まれるものであることは、いうまでもない。
【図面の簡単な説明】
【００４８】
【図１】従来の光学板を用いるバックライトを示す断面図である。
【図２】本発明の第一実施例に係る光学板の斜視図である。
【図３】図２に示す光学板のＩＩＩ―ＩＩＩ線による断面図である。
【図４】本発明の第二実施例に係る光学板の断面図である。
【図５】本発明の第三実施例に係る光学板の断面図である。
【図６】光源とランプシェードの四つの異なる方向への光強―視角の関係図である。
【図７】図２の光学板を用いるバックライトの四つ異なる方向への光強度―視角の関係図である。
【図８】水平方向における、図２の光学板を用いるバックライトと本発明の他の実施例の光学板を用いるバックライトとの光強度―視角に係る対比図である。
【図９】水平方向における、図２の光学板を用いるバックライトと本発明の他の実施例の光学板を用いるバックライトとの光強度―視角に係る対比図である。
【図１０】垂直方向における、図２の光学板を用いるバックライトと本発明の他の実施例の光学板を用いるバックライトとの光強度―視角に係る対比図である。
【図１１】垂直方向における、図２の光学板を用いるバックライトと本発明の他の実施例の光学板を用いるバックライトとの光強度―視角に係る対比図である。
【図１２】図２の光学板の透過層の製造に用いる金型の断面図である。
【図１３】図２の光学板の拡散層の製造に用いる金型の断面図である。
【図１４】図２の光学板の製造に用いる他の金型の断面図である。
【符号の説明】
【００４９】
２０  光学板
２１  透過層
２１１  光入射面
２１３  光出射面
２１５  長状突起
２３  拡散層
２３１  透明樹脂
２３３  拡散粒子
３０  光学板
３１５  長状突起
５０  光学板
５１５  長状突起
６０  光学板
６１５  長状突起
２００  金型
２０１  回転装置
２０２  雌型
２０２１  成形槽
２０２２  底面
２０２３  長状成型凹部
２０３  第一雄型
２０４  第二雄型
２０５  第一キャビティ
２０６  第二キャビティ
３００  金型
３０２３  長状成型凹部
３０４  第二雄型
【図１】
2008129586.tif 000004
【図２】
2008129586.tif 000005
【図３】
2008129586.tif 000006
【図４】
2008129586.tif 000007
【図５】
2008129586.tif 000008
【図６】
2008129586.tif 000009
【図７】
2008129586.tif 000010
【図８】
2008129586.tif 000011
【図９】
2008129586.tif 000012
【図１０】
2008129586.tif 000013
【図１１】
2008129586.tif 000014
【図１２】
2008129586.tif 000015
【図１３】
2008129586.tif 000016
【図１４】
2008129586.tif 000017